(57)【特許請求の範囲】
【請求項１】
手の形状を有すると共に伸縮性を有する繊維性の基体と、
前記基体の表面であって、少なくとも掌の表面に形成される被膜と、
前記被膜に形成される複数の通気孔と、を備え、
前記手袋の装着時における前記通気孔の開口面積は、前記手袋の未装着時における前記通気孔の開口面積よりも、大きく、
前記手袋を製造する原型における指の大きさは標準サイズ未満であって、前記原型における掌の大きさは標準サイズ以上であり、もしくは、前記手袋を製造する原型における指の大きさは標準サイズ以上であって、前記原型における掌の大きさは標準サイズ未満である手袋。
【請求項２】
前記基体は複数の網目を有しており、前記通気孔が開口する場合には、前記網目および前記通気孔と、が連通する、請求項１記載の手袋。
【請求項３】
前記複数の網目の開口総面積は、前記複数の通気孔が開口する場合の開口総面積よりも大きい、請求項２記載の手袋。
【請求項４】
前記複数の網目の内の一つの網目の開口面積は、前記複数の通気孔の内の一つが開口する場合の開口面積よりも大きい、請求項２又は３記載の手袋。
【請求項５】
前記手袋の掌における前記網目の開口総面積は、前記手袋の甲における前記網目の開口総面積よりも大きい、請求項２から４のいずれか記載の手袋。
【請求項６】
前記被膜は、前記基体の略全面に渡って形成される、もしくは前記基体の表面において少なくとも前記基体の掌、指および指の根元に渡って形成される、請求項１から５のいずれか記載の手袋。
【請求項７】
前記複数の通気孔の単位面積当たりの個数（以下、「単位個数」という）および前記複数の通気孔の単位面積当たりの開口総面積（以下、「単位開口面積」という）の少なくとも一方は、前記手袋の部位によって不均一である、請求項１から６のいずれか記載の手袋。
【請求項８】
前記手袋の指の根元における前記単位個数および前記単位開口面積の少なくとも一方は、前記手袋の掌における前記単位個数および前記単位開口面積の少なくとも一方よりも、多いもしくは大きい、請求項７記載の手袋。
【請求項９】
前記手袋の指における前記単位個数および前記単位開口面積の少なくとも一方は、前記手袋の掌における前記単位個数および前記単位開口面積の少なくとも一方よりも、多いもしくは大きい、請求項７記載の手袋。
【請求項１０】
前記手袋の指における前記単位個数および前記単位開口面積の少なくとも一方は、前記手袋の掌における前記単位個数および前記単位開口面積の少なくとも一方よりも、少ないもしくは小さい、請求項７記載の手袋。
【請求項１１】
前記通気孔は、前記被膜が含む発泡が破裂することおよび前記被膜に粒子が付着されることの少なくとも一方により形成される、請求項１から１０のいずれか記載の手袋。
【請求項１２】
前記手袋の指は、前記手袋が未装着時において掌側に屈曲している、請求項１から１１のいずれか記載の手袋。
【請求項１３】
手袋の外形形状を有すると共に伸縮性を有する繊維性の基体の表面であって、少なくとも掌部分の表面に被膜を形成し、
前記被膜が含む発泡を破裂させるおよび前記被膜に粒子を付着することの少なくとも一方を行い、
前記基体と外部とを通気させる通気孔を形成し、
前記手袋の装着時における前記通気孔の開口面積は、前記手袋の未装着時における前記通気孔の開口面積よりも大きく、
前記手袋を製造する原型における指の大きさは標準サイズ未満であって、前記原型における掌の大きさは標準サイズ以上であり、もしくは、前記手袋を製造する原型における指の大きさは標準サイズ以上であって、前記原型における掌の大きさは標準サイズ未満である手袋の製造方法。
【発明の詳細な説明】
【技術分野】
【０００１】
本発明は、手袋に係り、特に対象物を握りやすく滑りにくくしたり防水を企図したりする被膜を備えつつも、被膜による手の蒸れを防止できる手袋に関する。
【背景技術】
【０００２】
従来から、工場での製造作業、農作業、園芸、軽作業、工事作業などのような種々の場面で様々な手袋が用いられている。手袋は、作業者の手を保護すると共に、作業を効率化させる。ここで、手袋には軍手のように繊維を編み上げた種類と、防水性を主眼としてゴムや樹脂を用いた種類とが存在する。
【０００３】
軍手のような繊維を編み上げた手袋は、通気性や作業性に優れているが、対象物を把持する際に滑りやすく、水分が容易に浸潤してしまう問題を有している。一方で、防水性の高い手袋は、通気性や作業性に劣る問題を有している。
【０００４】
このような状況で、作業性、通気性、蒸れ防止、滑り止めのそれぞれを実現できるように、繊維を編み上げた基体の表面の一部であって掌部分に樹脂などの被膜を設ける手袋が提案されている。被膜で覆われている部分は一定の防水性を期待させ、被膜で覆われていない部分は、通気性を発揮する。加えて、被膜部分は、素材が樹脂やゴムなどであるので、一定の滑り止め効果も期待できる。被膜の素材や被膜に設けられる滑り止めが、把持する対象物を確実に掴みやすくなるからである。
【０００５】
しかしながら、このような手袋を装着して作業する場合において、実際には被膜が施されていない手の甲部分よりも被膜が施されている掌部分で、作業者はより多く発汗し蒸れ易い傾向がある。この場合に、掌部分は、被膜に覆われているので、掌に生じた汗や水分を排出することが困難である。結果として、手袋の内部では、蒸れ易い状況が生じて、作業者は不快を感じる。
【０００６】
また、手袋の表面では、被膜によって把持する対象物は滑りにくくなるのに対して、手袋の内面では、掌の水分によって手と手袋とが滑りやすくなったり、逆に脱げにくくなったりする問題が生じる。結果として、掌に被膜が施されている手袋は、使用感や作業性を悪化させる問題がある。
【０００７】
一方で、このような掌や表面の一部に被膜を設ける手袋は、種々の場面で使用される。このような使用の際に、（１）対象物を把持する際の滑り止め、（２）対象物を把持する際に外部からの期待できる一定の防水性、（３）非使用時に期待できる一定の防水性、を実現できれば良い。これらを実現できれば、使用感や作業性を向上させる構造が求められる。
【０００８】
このような目的において、被膜を設けながらも通気性を確保する技術が提案されている（例えば、特許文献１、２参照）。あるいは、被膜を形成する際に、手袋に通気孔を形成する技術が提案されている（例えば特許文献３、４参照）。
【先行技術文献】
【特許文献】
【０００９】
【特許文献１】特開２００２−１２９４１８号公報
【特許文献２】特開２００７−８４９７５号公報
【特許文献３】特開平１０−５３９０８号公報
【特許文献４】特開２００１−１３１８１３号公報
【発明の概要】
【発明が解決しようとする課題】
【００１０】
特許文献１は、ゾル状樹脂層を形成した後で、粉粒体を樹脂層に付着させた上で、この粉粒体を除去する際に樹脂層に穴を穿って、通気性を確保する手袋を開示する。すなわち、特許文献１に開示される手袋は、樹脂層による滑り止めや一定の防水性の効果と、通気性の確保とを両立する。
【００１１】
しかしながら、特許文献１に開示される手袋は、樹脂層に穴を空けた状態で作業者に提供される。このような状態で提供される場合には、使用時以外において樹脂層の穴から水分が入ってしまって内部が湿潤してしまう問題が発生する。また、特許文献１に開示される手袋は、手袋内部の蒸れ方と通気性の確保との最適化が行われておらず、作業者が手袋を装着して作業する場合の、作業性、通気性、使用感とを確保することができない問題を有している。
【００１２】
特許文献２は、縫い加工や編み上げされた原手に微小な凸を設置した状態で樹脂を被覆することで、通気性を確保した手袋を開示する。
【００１３】
しかしながら、特許文献２に開示される手袋は、具体的な通気孔の構成などを開示していない。更に、特許文献１の手袋と同様に使用時以外での一定の防水性を考慮していない。加えて、手袋内部の蒸れ方と通気性の確保との、最適化が行われておらず、作業者が手袋を装着して作業する場合の、作業性、通気性、使用感とを確保することができない問題を有している。
【００１４】
また、特許文献３、特許文献４は、発泡性の樹脂被膜の発泡を破裂させることで、手袋表面に通気孔を形成する技術を開示する。しかしながら、これらの従来技術は、使用者が手袋を装着することによって通気孔が開口することは開示していない。このため、特許文献３、４に開示される手袋は、非使用時に期待できる一定の防水性と使用時の通気性を両立させることをできない。
【００１５】
以上のように、従来技術の手袋は、通気孔を形成することで通気性を確保することを開示しているが、（１）非使用時に期待できる一定の防水性と使用時の通気性、（２）手袋内部の蒸れ方と通気性の確保との最適化、（３）手袋の使用感の確保、といったことを実現できない問題を有していた。
【００１６】
特に、手袋を用いた作業においては、未装着の手袋を作業台に放置したりするので、この放置の際に手袋内部に水分が混入する問題がある。混入してしまえば、装着する際には、混入した水分による不快感が生じる。装着中は、掌を中心とした汗による不快感が生じる。手袋の使用状態に鑑みて、手袋の作業性を損なわないように、通気性とこれから得られる使用感を確保することが重要である。
【００１７】
本発明は、上記課題に鑑み、把持力、使用感、作業性、通気性を実現しつつ、使用における蒸れ感を低減できる手袋を提供することを目的とする。
【課題を解決するための手段】
【００１８】
上記課題に鑑み、本発明の手袋は、手の形状を有すると共に伸縮性を有する繊維性の基体と、
基体の表面であって、少なくとも掌の表面に形成される被膜と、
被膜に形成される複数の通気孔と、を備え、
手袋の装着時における通気孔の開口面積は、手袋の未装着時における通気孔の開口面積よりも、大きく、
手袋を製造する原型における指の大きさは標準サイズ未満であって、原型における掌の大きさは標準サイズ以上であり、もしくは、手袋を製造する原型における指の大きさは標準サイズ以上であって、原型における掌の大きさは標準サイズ未満である。
【発明の効果】
【００１９】
本発明の手袋は、掌を含む一部に被膜層が形成されており、対象物の把持力を向上させつつ、被覆層に形成されている通気孔によって通気性を確保できる。更に、装着時に通気孔が広がるので、未装着時には水分が手袋内部に入りにくく、装着時には通気性を確保できる。この結果、装着する際には外部からの混入した水分の不快感がなく、装着中においては、掌で生じた汗などの水分による不快感が減少する。すなわち、装着前、装着時とで生じうる不快感の原因のいずれにも対応できる。
【００２０】
また、装着時に手袋内部でより汗をかくのは掌であったり指の根元であったりするが、本発明の手袋は、通気孔の密度や面積を、このような部位において大きくしている。この結果、手袋の装着時および作業時における蒸れ感が減少し、手袋の内部と外部との把持力の差が小さくなって、脱げにくくなる。
【００２１】
また、通気孔を手袋の部位に応じて不均一に形成することで、部位によって異なる通気性に対応しつつも手袋の耐久性を維持できるようになる。
【図面の簡単な説明】
【００２２】
【図１】本発明の実施の形態１における手袋の斜視図である。図１は、手袋１を掌側からみた状態を示している。
【図２】本発明の実施の形態１における手袋の斜視図である。
【図３】本発明の実施の形態１における被膜の一部の拡大図である。
【図４】本発明の実施の形態１における通気孔が広がる状態を示す説明図である。
【図５】本発明の実施の形態２における手袋の正面図である。
【図６】本発明の実施の形態２における手袋の正面図である。
【図７】本発明の実施の形態３における手袋の側面図である。
【図８】本発明の実施の形態４における通気孔４の製造工程を示す説明図である。
【発明を実施するための形態】
【００２３】
本発明の第１の発明に係る手袋は、手の形状を有すると共に伸縮性を有する繊維性の基体と、
基体の表面であって、少なくとも掌の表面に形成される被膜と、
被膜に形成される複数の通気孔と、を備え、
手袋の装着時における通気孔の開口面積は、手袋の未装着時における通気孔の開口面積よりも、大きく、
手袋を製造する原型における指の大きさは標準サイズ未満であって、原型における掌の大きさは標準サイズ以上であり、もしくは、手袋を製造する原型における指の大きさは標準サイズ以上であって、原型における掌の大きさは標準サイズ未満である。
【００２４】
この構成により、手袋１は、被膜による高い耐久性、把持性、一定の防水性を確保しつつ、通気孔による通気性をも両立させることができる。この構成により、指における単位個数および単位開口面積を、掌における単位個数や単位開口面積よりも多くもしくは大きくできる。この構成により、掌における単位個数および単位開口面積を、指における単位個数や単位開口面積よりも多くもしくは大きくできる。
【００２５】
本発明の第２の発明に係る手袋では、第１の発明に加えて、基体は複数の網目を有しており、通気孔が開口する場合には、網目および通気孔と、が連通する。
【００２６】
この構成により、通気孔は、手の表面と外部との通気や排気を実現できる。
【００２７】
本発明の第３の発明に係る手袋では、第２の発明に加えて、複数の網目の開口総面積は、複数の通気孔が開口する場合の開口総面積よりも大きい。
【００２８】
この構成により、汗や湿気の多い手の表面に近い開口が大きくなるので、手の表面の汗や湿気の排気が十分に行われる。
【００２９】
本発明の第４の発明に係る手袋では、第２又は第３の発明に加えて、複数の網目の内の一つの網目の開口面積は、複数の通気孔の内の一つが開口する場合の開口面積よりも大きい。
【００３０】
この構成により、汗や湿気の多い手の表面に近い開口が大きくなるので、手の表面の汗や湿気の排気が十分に行われる。
【００３１】
本発明の第５の発明に係る手袋では、第２から第４のいずれかの発明に加えて、手袋の掌における網目の開口総面積は、手袋の甲における網目の開口総面積よりも大きい。
【００３２】
この構成により、手の表面の湿気の排気が十分に行われる。
【００３３】
本発明の第６の発明に係る手袋では、第１から第５のいずれかの発明に加えて、被膜は、基体の略全面に渡って形成される、もしくは基体の表面において少なくとも基体の掌、指および指の根元に渡って形成される。
【００３４】
この構成により、被膜は、手袋の把持性や操作性を高めることができる。
【００３５】
本発明の第７の発明に係る手袋では、第１から第６のいずれかの発明に加えて、複数の通気孔の単位面積当たりの個数（以下、「単位個数」という）および複数の通気孔の単位面積当たりの開口総面積（以下、「単位開口面積」という）の少なくとも一方は、手袋の部位によって不均一である。
【００３６】
この構成により、通気孔は、汗や湿気の溜まりやすい部位を優先的に、通気や排気を高めることができる。加えて、手袋の耐久性を低下させない。
【００３７】
本発明の第８の発明に係る手袋では、第７の発明に加えて、手袋の指の根元における単位個数および単位開口面積の少なくとも一方は、手袋の掌における単位個数および単位開口面積の少なくとも一方よりも、多いもしくは大きい。
【００３８】
この構成により、通気孔は、汗や湿気の溜まりやすい指の根元の通気や排気を優先できる。加えて、手袋の耐久性を低下させない。
【００３９】
本発明の第９の発明に係る手袋では、第７の発明に加えて、手袋の指における単位個数および単位開口面積の少なくとも一方は、手袋の掌における単位個数および単位開口面積の少なくとも一方よりも、多いもしくは大きい。
【００４０】
この構成により、通気孔は、複雑な形状をしている指の通気や排気を優先できる。加えて、手袋の耐久性を低下させない。
【００４３】
本発明の第１０の発明に係る手袋では、第７の発明に加えて、手袋の指における単位個数および単位開口面積の少なくとも一方は、手袋の掌における単位個数および単位開口面積の少なくとも一方よりも、少ないもしくは小さい。
【００４４】
この構成により、表面積の大きい掌の通気性や排気性を、優先できる。当然ながら、手袋の耐久性を低下させない。
【００４７】
本発明の第１１の発明に係る手袋では、第１から第１０のいずれかの発明に加えて、通気孔は、被膜が含む発泡が破裂することおよび被膜に粒子が付着されることの少なくとも一方により形成される。
【００４８】
この構成により、通気孔が容易に形成される。
【００４９】
本発明の第１２発明に係る手袋では、第１から第１１いずれかの発明に加えて、手袋の指は、手袋が未装着時において掌側に屈曲している。
【００５０】
この構成により、指の通気孔は、掌の通気孔よりも、より大きく開口しやすくなる。
【００５１】
（実施の形態１）
【００５２】
実施の形態１について説明する。
【００５３】
（全体概要）
【００５４】
まず、実施の形態１における手袋の概要について、図１〜図３を用いて説明する。実施の形態１の手袋は、人体の手の形状に合わせた形状を有しており、一般的な人である使用者がその手に装着して使用するものである。
【００５５】
図１は、本発明の実施の形態１における手袋の斜視図である。図１は、手袋１を掌側からみた状態を示している。図２は、本発明の実施の形態１における手袋の斜視図である。図２は、手袋１を図１とは逆側である手の甲から見た状態を示している。
【００５６】
手袋１は、基体２と、基体２の表面に形成される被膜３と、被膜３に形成される複数の通気孔４とを備える。基体２は、手の形状を有すると共に伸縮性を有する繊維性である。被膜３は、基体２の表面であって、少なくとも掌５の表面に形成される。被膜３は、樹脂や合皮などの防水性を備えることが好ましい。複数の通気孔４は、図１、図２では、視認することができないが、被膜３において設けられる。手袋１の装着時における通気孔４の開口面積は、手袋１の未装着時における通気孔４の開口面積よりも大きい。
【００５７】
図３は、本発明の実施の形態１における被膜の一部の拡大図である。図３（ａ）は、手袋１が未装着時での被膜３の状態を示しており（すなわち、被膜３が伸長していない状態を示している）、図３（ｂ）は、手袋１が装着時での被膜３の状態を示している（すなわち、被膜３が装着によって伸長している状態を示している）。被膜３は、複数の通気孔４を備えている。この通気孔４は、形状が不均一であって、様々な形状を有している。
【００５８】
図３（ａ）では、手袋１が未装着であるので、手袋１を形成する基体２および被膜３のそれぞれは、伸長していない状態である。このため、被膜３が備える複数の通気孔４のそれぞれは、塞がっていたり、わずかに開口していたりする。これに対して、図３（ｂ）では、手袋１が装着されているので、手袋１を形成する基体２および被膜３のそれぞれは、装着される手に従って伸長する。この伸長に従って、被膜３が備える複数の通気孔４のそれぞれは、その開口面積を大きくする。図３（ｂ）に示される通気孔４の開口面積は、図３（ａ）に示される通気孔４の開口面積よりも大きいことが明らかである。
【００５９】
このように、手袋１内部に使用者の手が挿入されることで、伸縮性を有する基体２が広がる。被膜３は、基体２の表面に付着しているので、基体２の広がりに合わせて被膜３も広がらざるを得ない。この被膜３の広がり、すなわち伸長によって、被膜３が備える複数の通気孔４のそれぞれが、その開口面積を拡大させる。
【００６０】
被膜３は、樹脂や合皮などの防水性を有している素材で形成されることで、掌５からの水分の浸入を低減させることができる。また、被膜３が樹脂や合皮などで形成されることで、使用者が手袋１を使用して対象物を取り扱うときの滑り止めを実現したり、把持力の向上を実現したりできる。
【００６１】
また、被膜３は複数の通気孔４を備えており、複数の通気孔４は、未装着時よりも装着時においてその開口面積を拡大する。このため、使用者が手袋１を装着すると、被膜３の伸長に伴って複数の通気孔４の開口面積が広がり、この広がった通気孔４を通じて通気性が得られる。未装着時には、この通気孔４の開口面積は、装着時よりも小さく場合によっては十分に開口していないため、未装着時には不必要に水分が掌から手袋１内部に入り込むことも防止できる。
【００６２】
このように、実施の形態１の手袋１は、非使用時に期待できる一定の防水性と、使用時における把持力および通気性と、を両立させることができる。
【００６３】
基体２は、繊維性であるので、繊維によって編みこまれた複数の網目を有している。なお、この網目は図１〜図３においては表されていない。これは、図作成上の都合であるが、基体２は、繊維による編みこみで形成される複数の網目を有している。通気孔４が開口する場合には、通気孔４の開口と網目とが連通する。使用者の掌の表面は、基体３の網目、開口した通気孔４を経て、外部と通気可能となる。この結果、使用者の掌の表面の汗や水分が、外気に蒸気等として排出されるようになる。
次に、各部の詳細について説明する。
【００６４】
（基体）
【００６５】
基体２は、繊維性で編みこまれた手袋の外形形状を有する手袋１の基礎的部分である。基体２は、綿、麻などの天然素材やナイロン、ポリエステルなどの合成繊維が編みこまれて製造される。特にウーリー加工されている繊維が用いられることが好ましい。このとき、基体２は、編布、織布で製造される。また、綿、麻などのセルロース繊維が用いられることで、基体２は、高い吸湿性を有することができるようになる。一方、抗菌性、肌触りのよさ、放湿性、乾きやすさからは、竹繊維が使用されることも好ましい。この竹繊維については、特開２００８−１０１２９１号公報に、その製造方法が開示されている。また、東京都立産業技術研究センター研究報告、第１号、２００６年は、竹繊維の鑑別と消費性能について、詳細を開示している。
【００６６】
いずれにしても、基体２は繊維性の素材で製造されるので、伸縮性を有する。この基体２の伸縮性によって、使用者が手袋１を装着する場合に、手袋１が伸長するようになる。当然ながら、使用者が手袋１を外すと、手袋１は伸長から開放されて元の大きさに戻る。
【００６７】
手袋１は、人間の手の形状を有する原型を用いて製造される。この原型の形状、大きさによって、手袋１の形状、大きさが決定される。このため、原型が切り替われば得られる手袋１の形状や大きさを変更できる。例えば、子供用、大人用、男性用、女性用、老人用であったり、Ｓサイズ、Ｍサイズ、Ｌサイズであったりなどの形状や大きさの切り替えは、手袋１を製造する原型の切り替えによって実現される。
【００６８】
基体２は、繊維性の素材で製造されるので、複数の網目を有する。この複数の網目は、挿入された手に対しての通気性を生じさせる。複数の通気孔４は、この網目と連通することで、挿入された手と外部との通気性を実現させる。このため、基体２の備える複数の網目の形状、大きさ、位置によって、手袋１の通気性の増減が実現される。
【００６９】
図１、図２に示されるとおり、基体２は、掌５、指６、手首７、甲８を備える。手袋１を製造するのに用いられる原型が、これら掌５、指６、手首７、甲８の要素を備えており、この原型に合わせて繊維が編みこまれることで基体２は、これらの要素を備えた形状を有するようになる。これら掌５、指６、手首７、甲８の要素は、使用者の手の形状に対応するだけでなく、通気の必要性の軽重に関る。このため、これらの要素は、通気孔４によって確保される通気性の様々なバリエーションを生じさせる。
【００７０】
（被膜）
被膜３は、基体２の表面に形成される。製造された基体２が被膜３の原料となる樹脂液などの液状素材に浸漬されることで、基体２の表面に被膜３が形成される。
【００７１】
被膜３は、基体２の表面に形成されるが、基体２の表面の全面に渡って形成されても良く、基体２の少なくとも掌５の表面に形成されても良く、基体２の少なくとも掌５および指６の表面に形成されても良く、基体２の掌５、指６および甲８の表面に形成されても良い（最後の場合は、手首７以外の表面に被膜３が形成される状態である）。被膜３は、使用者が手袋１を装着して作業する際に、滑り止め、把持力強化、簡便な防水および安全性の少なくとも一つを確保することを目的としている。このため、これらの目的に応じて、被膜３は基体２の表面の一部もしくは全部に形成される。
【００７２】
一般的には、掌５および指６の表面に、被膜３が形成される。図１、図２は、この状態を示している。図１に示されるように、掌５および指６の掌５側には、被膜３が形成されている。一方、図２に示されるように、甲８には被膜３が形成されていない。このように、甲８側に被膜３が形成されないことで、手袋１に挿入された手の全体が被膜３によって覆われなくなる。この結果、被膜３の形成されていない部分（図２では、例えば、手首７や甲８など）は、基体２の網目が、通気性を確保できる。
【００７３】
被膜３は、ゴムラテックスや樹脂エマルジョンなどの素材で形成される。ゴムラテックスとしては、天然ゴムラテックス、アクリロニトリルーブタジエンゴム（以下、「ＮＢＲ」という）やスチレンーブタジエン(以下、「ＳＢＲ」という）などの合成ゴムラテックスが用いられる。また、樹脂エマルジョンとしては、ポリ塩化ビニル樹脂、アクリル樹脂、ウレタン樹脂などが用いられる。
【００７４】
これらの素材は、いずれも防水性、高い把持性、保護性を有しており、基体２の表面に形成される被膜３は、使用者が手袋１を使用する際の、種々の効能を提供できる。被膜３が形成される部分においては、通気孔４の存在を無視すれば、被膜３に用いられる素材の特性によって、防水性が生じる。
【００７５】
被膜３は、被膜３を形成するゴムラテックスや樹脂エマルジョンなどの素材であって、液状化した状態の素材に基体２が浸漬されることで、基体２の表面に被膜３が形成される。例えば、液状であるゴムラテックスや樹脂エマルジョンなどの素材が容器に貯められておき、この容器に基体２が落とし込まれる。例えば基体２の掌５のみが液状である素材に浸漬される。所定時間浸漬されることで基体２を構成する繊維に浸み込む。浸み込んだ液状の素材は、乾燥されると固化する。この固化によって、基体２の表面に被膜３が形成される。
【００７６】
なお、基体２が原型にはめ込まれたままで、液状素材に浸漬されることで、基体２の変形を防止した上で被膜３が形成されても良い。このとき、まず基体２が凝固剤に浸漬され、ついで、ゴムラテックスや樹脂エマルジョンに必要な配合剤が配合された液状素材に浸漬される。予め凝固剤に浸漬されることで、浸漬された液状素材が、基体２の表面で容易に凝固するようになるからである。液状素材が凝固すれば、基体２の表面に被膜３が形成される。
【００７７】
また、被膜３を形成する液状の素材には、必要に応じて、安定剤、架橋剤、架橋分散体、老化防止剤、増粘剤、可塑剤、消泡剤などが添加される。これらが添加された状態の液状素材が、基体２に浸漬されて、基体２の表面に被膜３が形成される。
【００７８】
架橋分散体は、硫黄や過酸化物などの架橋剤のほかに、ＢＺ、ＴＴ、ＣＺ、ＰＺなどの架橋促進剤、亜鉛華などの架橋促進剤、あるいは老化防止剤などの固体物を水に分散させることで得られる。架橋分散体は、液状素材がゴムラテックスの場合に主に用いられる。架橋分散体がゴムラテックスの液状素材に添加されることで、ゴム分子が網目状に結合され、樹脂被膜の強度などの物性が向上する。
【００７９】
以上のように、ゴムラテックスや樹脂エマルジョンなどの液状素材に、基体２の表面が浸漬されることで、基体２の表面に被膜３が形成される。特に、液状素材に基体２の表面が浸漬されることで、基体２における所望される様々な部位に、被膜３が形成される。被膜３は、手袋１の把持性や取り扱い性を向上させるだけでなく、後述の通りの通気性とのバランスを生じさせるので、被膜３の形成される部位が、所望の通りに決定されることは好適である。
【００８０】
（通気孔）
次に、通気孔４について説明する。
【００８１】
通気孔４は被膜３に形成されて、手袋１が装着される場合の通気孔４の開口面積は、未装着時の開口面積よりも大きい。手袋１が装着されることで、通気孔４の開口面積が大きくなることで、手袋１の使用者は、通気性を確保することができる。
【００８２】
図３は、手袋１の装着によって、通気孔４の開口面積が拡大している状態を示している。未装着時を示す図３（ａ）では、通気孔４の開口面積は小さいが、装着時を示す図３（ｂ）では、通気孔４の開口面積が大きくなっている。基体２は伸縮性を有しており、基体２の表面に形成される被膜３も伸縮性を有している。通気孔４は、被膜３に形成されており、言い換えれば通気孔４は、被膜３の複数の箇所に生じている裂け目、割れ目、孔および傷のようなものである。
【００８３】
手袋１の装着によって、被膜３が伸長するので、これら裂け目、割れ目、孔および傷が広がることになる。このような広がりによって、通気孔４の開口面積が図３（ｂ）のように広がる。通気孔４の開口面積が広がることで、基体２の網目の有する開口と連通して、人体の手の表面と外部とが連通して、空気の通り道が形成される。この空気の通り道によって、人体の手の表面で生じた湿気や蒸気（汗などによって引き起こされる）が、外部に排出されるようになるので、手袋１を使用している使用者の快適性を維持できる。
【００８４】
図４は、本発明の実施の形態１における通気孔が広がる状態を示す説明図である。図４は、手袋の一部の側面を示しており、被膜３に形成された複数の通気孔４が広がる状態を示している。
【００８５】
図４（ａ）は、手袋１が未装着である場合の、手袋１の一部の側面を示している。基体２ａの表面に被膜３ａが形成されている。基体２ａは、網目を有しており、未装着の状態では、基体２ａおよび被膜３ａは伸長していない。このため、被膜３ａに形成されている通気孔４ａは、その開口面積がまだ小さい（十分に開ききっていない）。図４における円形で囲まれた部分は、手袋１側面の拡大図を示している。図４（ａ）の拡大図に示されるとおり、手袋１が未装着の状態では、通気孔４ａは、閉じているかもしくは十分に開いていない。
【００８６】
図４（ｂ）は、手袋１が装着状態である場合の、手袋１の一部の側面を示している。円形で囲まれた部分は、この側面の一部の拡大図を示している。基体２ｂは網目を有しており、この基体２ｂの表面に被膜３ｂが形成されている。この被膜３ｂは、複数の通気孔４ｂを備えているが、手袋１が装着されることで、基体２ｂおよび被膜３ｂが伸長する。この伸長に伴って、通気孔４ｂが広がる。これは、円形で囲まれた拡大図からも明らかである。通気孔４ｂが広がって、通気孔４ｂの開口が基体２の網目と連通するようになる。この連通で、手の表面の湿気などが外部に排出されるようになる。
【００８７】
（通気孔４の開口）
手袋１の装着時における通気孔４の開口面積が、手袋１の未装着時における通気孔４の開口面積よりも大きいことは、種々の状態を含む。
【００８８】
一例として、手袋１の未装着時においては、通気孔４は開口しているが開口状態が不十分であってその開口面積が小さく、手袋１の装着時には、通気孔４が十分に開口して開口面積が大きくなる状態が含まれる。すなわち、装着時、未装着時の別に関らず、通気孔４は開口しているが、装着時には、通気孔４の開口面積が広がる状態である。
【００８９】
また、他の例として、手袋１の未装着時においては、通気孔４は閉じており（塞がっており）、手袋１の装着時においては、通気孔４が開口する状態が含まれる。すなわち、開いていなかった通気孔４が開く状態が含まれる。
【００９０】
また、被膜３は、複数の通気孔４を備えており、通気孔４は、被膜３に生じる割れ目、裂け目、孔や傷などであったりする。このため、複数の通気孔４においては、閉じている状態から開口する通気孔４や開いている状態から更に広く開口する通気孔４が混在していてもよい。例えば、手袋１の未装着時には、複数の通気孔４の一部は閉じており、残りの通気孔４は開いている。手袋１の装着時には、閉じていた通気孔４が開口し、既に開いていた通気孔４は、更に広く開口する。
【００９１】
あるいは、複数の通気孔４の一部は、手袋１が装着されても、閉じたままであったり開口面積が大きくならないままだったりすることもある。逆に、手袋１が装着される際に、基体２や被膜３の伸長具合によって、開口面積が小さくなる通気孔４が存在してもよい。例えば、手袋１の装着によって掌５は伸長しやすいが、この伸長によって指６の根元や掌５の側面は、却って圧迫されることも生じる。この場合には、掌５の通気孔４はその開口を広げるが、指６の根元や掌５の側面の通気孔４は、圧迫によって、その開口を広げないかあるいは狭めることもありうるからである。
【００９２】
すなわち、被膜３は、複数（多数）の通気孔４を備えているので、未装着時には、（１）閉じている、（２）少し開口している、（３）大きく開口している、などの種々の通気孔４が存在し、装着時には、（１）閉じていたのが開く、（２）未装着時よりも開口面積が大きくなる、（３）未装着時よりと開口面積が変わらない、（４）未装着時よりも開口面積が小さくなる、などの種々の通気孔４が存在する。
【００９３】
また、通気孔４は、手袋１の縦方向に開口したり、横方向に開口したり、斜め方向に開口したり、様々な方向に開口する。これらは、通気孔４の形成位置や形状に依存するものである。
【００９４】
また、複数の通気孔４のそれぞれが、未装着時よりも装着時において、その開口面積を増大させる態様であってもよいし、複数の通気孔４の開口総面積が、未装着時よりも装着時において、増大する態様であっても良い。すなわち、複数の通気孔４の一つに着目する場合には、この通気孔４が装着時にその開口面積を増大させることで、当該通気孔４が存在する部位の通気がよくなる。一方、複数の通気孔４全体に着目する場合には、通気孔４の開口総面積が増大することで、手袋１全体として通気が良くなる。
【００９５】
本発明の手袋１における、装着時における通気孔４の開口面積が、未装着時における通気孔４の開口面積よりも大きいとは、種々の態様を含むものであるし、複数の通気孔４の一部において異なる態様が生じることを排除するものではない。また、通気孔４の開口面積が増大することによる通気性の向上であっても、通気孔４全体の開口総面積が増大することによる通気性の向上であっても良い。
【００９６】
（通気孔と基体との関係）
次に、通気孔４と基体２との連通について説明する。
【００９７】
基体２は、繊維性の構造を有しているので、基体２は、複数の網目を有している。通気孔４は、この網目と連通することで、手の表面と外部とを通気させるようになる。網目は、基体２に広がっており、網目の上が被膜３によって覆われている状態である。このため、被膜３に設けられている通気孔４が開口すると、そもそも開口している網目（当該網目は、手袋１の装着によって、更にその開口面積が増大する）と通気孔４の開口部とが連通するので、手の表面と外部とが通気できるようになる。このため、網目の開口および通気孔４の開口との関係によって、通気態様が変わってくる。
【００９８】
例えば、手袋１の装着時における複数の網目の開口総面積は、複数の通気孔４の開口総面積よりも大きい。網目は、基体２に備わっているので、網目は手の表面と直接的に接触する。一方で、通気孔４は、手の表面とは間接的に接触することになる。手袋１の通気は、外部から手袋１内部に空気が取り込まれる取り込み方向と、手の表面から外部に湿気等が排出される排出方向の、２つの方向を有している。この２つの方向においては、手袋１の使用者の快適性を維持する為に、排出方向における排出能力が重要である。
【００９９】
手の表面により近い網目の開口面積が、手の表面より遠い通気孔４の開口面積よりも大きいことで、最初に網目の開口が手の表面から多くの湿気や蒸気を吸い上げ、次いで通気孔４の開口が、網目から伝わる湿気や蒸気を外部に排出する。通気孔４を余りに大きく開口させると、被膜３が裂けたり破れたりする原因となるので、通気孔４を余りに大きく開口させることは好ましくない。手袋の耐久性が悪くなってしまう。一方で、網目の開口を通気孔４と同じように小さくさせると、手の表面から外部への排出方向の通気性が悪くなる。このように、網目の開口総面積が通気孔４の開口総面積よりも大きいことで、手袋１の耐久性を低下させることなく、手の表面から外部への排出方向における通気能力が向上する。
【０１００】
また、網目の開口と通気孔４の開口との関係は、上述のように、開口総面積で判断しても良いし、複数の網目の一つと複数の通気孔４の一つとの関係で判断しても良い。
【０１０１】
例えば、複数の網目の内の一つの網目の開口面積は、複数の通気孔４の内の一つの通気孔４の開口面積よりも大きい。もちろん、複数の網目と複数の通気孔４との開口面積同士の関係は、ある網目とある通気孔４とでは、網目の開口面積が大きい場合もあるし、ある網目とある通気孔４とでは、網目の開口面積が小さい場合もありえる。ある網目と通気孔４とに着目した場合に、網目の開口面積が大きいということである。
【０１０２】
このように、複数の網目の内の一つの網目の開口面積が、複数の通気孔４の内の一つの通気孔４の開口面積よりも大きいことで、開口総面積の場合と同じく、手の表面から外部への排出方向における通気性が向上する。この結果、手袋１を使用する際の快適性が高まる。
【０１０３】
手袋１は、網目を備える基体２と通気孔４を備える被膜３とで構成されるので、網目と通気孔４との相互関係に基づく態様が、通気性の改良や向上につながる。上述のように、網目の開口総面積もしくはある網目の開口面積が、通気孔４の開口総面積もしくはある通気孔４の開口面積よりも大きいことで、通気性において重要となる排出方向の通気性が向上する。なお、手の表面と接触する網目の開口面積が大きいことは、外部よりも温度の高い手の表面からの熱気を、吸収した上で外部に排出しやすいというメリットも提供できる。
【０１０４】
また、基体２の掌５における網目の開口総面積は、基体２の甲８における網目の開口総面積よりも大きいことも好適である。
【０１０５】
図２に示されるように、被膜３は、掌５には設けられるが手の甲８には設けられないことが多い。このため、手の甲８は、基体２がむき出しになっており、基体２の網目の開口面積が小さくても通気性は確保できる。また、甲８における網目の開口面積が非常に大きすぎると、手袋１の構造維持力が弱くなる問題もある。
【０１０６】
一方、掌５は、被膜３で覆われることが多いので、通気性の確保は重要である。被膜３は、手袋１の装着によって開口面積の広がる通気孔４を備えるが、通気孔４は、網目と連通することで、その通気性を確保できる。このため、網目の開口面積がより大きいことが、通気性の向上（特に、手の表面から外部への排出方向での通気性の向上）に重要である。掌５においては、網目の開口面積が大きいことは、通気性の面から有効である。もちろん、手袋１としての構造維持力を発揮できる限界を維持する必要はある。但し、掌５は、被膜３で覆われるので、基体２の網目の開口面積が大きい場合でも、構造維持力は発揮できる。
【０１０７】
このように、基体２の網目の開口総面積が、掌５において手の甲８よりも大きいことで、手袋の構造維持力を保ちつつ、手袋１全体でのバランスよい通気性を実現できる。
【０１０８】
なお、掌５および手の甲８のそれぞれでの網目の開口総面積相違は、網目の数の大小によって判断されても良いし、個々の網目の開口面積によって判断されても良いし、網目の数と網目の開口面積の乗算によって判断されても良い。
【０１０９】
以上のように、実施の形態１における手袋１は、被膜３に設けられた通気孔４が、手袋１の装着によってその開口面積を拡大させることで、手袋１の把持力や操作性を損なうことなく、通気性も実現できる。
【０１１０】
（実施の形態２）
【０１１１】
次に実施の形態２について説明する。実施の形態２においては、手袋１の部位と通気孔４との関係について説明する。
【０１１２】
手袋１は、当然ながら人体の手に装着される。本発明の手袋１は、装着によって開口面積の広がる通気孔４によって、通気性を確保する。ここで、人体の手は、手袋を装着して作業する場合に、手の部位によって汗や湿気が溜まる場所が異なる。また、汗や湿気の溜まる場所の違いだけでなく、汗や湿気によって不快に感じる度合いも、部位によって異なる。例えば、指６の根元では、その構造上窪みができやすく、この窪みに汗や水分が溜まりやすい。
【０１１３】
このように、手の部位（手袋１の部位）によって、通気性の軽重を設けることが必要になることもある。通気性は、複数の通気孔４の数、開口面積、開口総面積や複数の網目の数、開口面積、開口総面積など、種々のパラメータによって、その軽重を異ならせることが好適である。
【０１１４】
このため、複数の通気孔４の単位面積当たりの個数（以下、「単位個数」という）および複数の通気孔４の単位面積当たりの開口総面積（以下、「単位開口面積」という）の少なくとも一方は、手袋１の部位によって不均一であることも好適である。この不均一に基づいて、手袋１の部位によって（すなわち人体の手の部位によって）通気性の軽重が生じるようになる。通気性の軽重は、使用者が感じる不快感に最適に対応できるようになる。
【０１１５】
実施の形態２における手袋１は、複数の通気孔４の単位個数および単位開口面積の少なくとも一方が手袋の部位によって不均一であることで、通気性の不均一を生じさせるが、通気性の不均一は、使用者の感覚や使用態様に応じて異なる。このため、下記にいくつかの例を示す。
【０１１６】
（例１  指の根元が掌より優先される）
手袋１の指６の根元６１における単位個数は、手袋１の掌５における単位個数よりも多い。あるいは、手袋１の指６の根元６１における単位開口面積は、手袋１の掌５における単位開口面積よりも大きい。単位個数および単位開口面積の一方のみが多いかもしくは大きくても良いし、両方が多いかもしくは大きくても良い。
【０１１７】
図５は、本発明の実施の形態２における手袋の正面図である。図５は、通気孔４の分布状態を分かりやすく示すために、通気孔４を本来より大きく示している。図５の被膜３表面に記載の丸印は、全て通気孔４を模式的に表したものである。
【０１１８】
図５に示されるように、指６の根元６１における単位個数は、掌５における単位個数よりも多い。使用者の手においては、指の根元にくぼみができやすく、どうしても汗や湿気が溜まりやすい。加えて、指の根元は、隣り合う指と接するので、汗や湿気が溜まることは、使用者にとって不快を生じさせる。一方で、掌はその面積が広いので、単位個数が少なくても汗や湿気が溜まりにくいと考えられる。
【０１１９】
このことから、使用者の指の根元に対応する手袋１の指６の根元６１における単位個数は、使用者の掌に対応する手袋１の掌５の単位個数よりも多いことが好ましい。単位個数が多いことで、汗や湿気の溜まりやすい指６の根元６１からの、蒸気や湿気の排出がより容易になるからである。
【０１２０】
また、図５では、単位個数の差が示されているが、単位開口面積の差であっても同様である。すなわち、指６の根元６１における単位開口面積は、掌５における単位開口面積よりも大きいことで、より汗や湿気の溜まりやすい指の根元における通気性が高まる。この結果、手袋１を使用する使用者の高い快適性が維持される。
【０１２１】
もちろん、指６の根元６１の単位個数および単位開口面積のいずれか一方が、掌５の単位個数および単位開口面積のいずれか一方よりも少ないか小さい場合でも、他方が多いか大きいことによって、指６の根元６１での通気性が、掌５での通気性よりも高ければよい。もちろん、複数の通気孔４のいずれかに着目する場合に、指６の根元６１の通気孔４のいずれか一つの開口面積が掌５の通気孔４のいずれか一つの開口面積よりも小さい場合があっても、全体として、単位個数および単位開口面積の少なくとも一方に差があればよい。このような差によって、指６の根元６１の通気性が、掌５の通気性よりも高まることは、使用者の快適感にとって好適である。
【０１２２】
なお、手袋１の指６の根元６１と掌５とを比較しているが、これは、被膜３に形成される通気孔４において、手袋１の指６の根元６１および掌５に対応する位置での通気孔４の態様の比較を示している。
【０１２３】
（例２  指の通気が掌の通気より優先される場合）
手袋１の指６における通気孔４の単位個数および単位開口面積の少なくとも一方は、手袋１の掌５における通気孔４の単位個数および単位開口面積の少なくとも一方よりも、多いもしくは大きい。すなわち、手袋１の指６における単位個数は、手袋１の掌５における単位個数よりも多い。あるいは、手袋１の指６における単位開口面積は、手袋１の掌５における単位開口面積より大きい。あるいは、手袋１の指６における単位個数および単位開口面積の双方が、手袋１の掌５における単位個数および単位開口面積よりも多いもしくは大きい。
【０１２４】
すなわち、手袋１の指６における通気孔４は、手袋１の掌５における通気孔４よりも、数や開口面積に基づいて、高い通気能力を有している。通気孔４は手袋１の装着時に開口面積を増大させる。この開口面積の増大で通気孔４は、手の表面と外部との通気を実現する。このため、単位個数や単位開口面積が大きいことで、掌５における通気孔４よりも、指６における通気孔４の通気能力が大きいことになる。
【０１２５】
指６における単位個数が掌５における単位個数よりも多いことで、指６では、掌５よりも手の表面と外部との空気の通路の数が多くなる。この通路の数が多いことで、指６における通気性は、掌５における通気性よりも相対的に高くなる。これは、指６における単位開口面積が掌５における単位開口面積よりも大きいことでも同様である。
【０１２６】
人体の手においては、指は複雑な形状をしているとともに複数の関節を備える。このため、指は、その関節や複雑な形状において汗や湿気をためやすい。このとき、上述のように、指６における単位個数および単位開口面積の少なくとも一方が、掌５における単位個数および単位開口面積の少なくとも一方よりも多いもしくは大きいことで、指に溜まりやすい汗や湿気を、より効率的に排出できる。結果として、使用者の快適感を維持できる。また、掌５における単位個数や単位開口面積が、相対的に少ないもしくは小さいことで、被膜３の損傷も防止できる。
【０１２７】
なお、単位個数や単位開口面積は、所定の単位面積（例えば、１ｃｍ２など）における通気孔４の個数や開口総面積を示すものであるが、所定の単位面積は、適宜柔軟に定められれば良い。また、単位個数や単位開口面積の差は、その傾向が認められればよいのであり、厳密に個数や単位開口面積の差分が立証されることまでをも求めるものではない。例えば、指６の単位個数が掌５の単位個数よりも少ない領域と多い領域とが、単位面積となる領域を変化させることで混在しても、傾向としては、指６における単位個数が、掌５における単位個数よりも多ければ、単位個数が多いものとみなす。これは、単位開口面積の場合であっても同様である。
【０１２８】
また、指６における単位個数は掌５における単位個数よりも多いが、指６における単位開口面積は掌５における単位開口面積よりも小さい場合であっても良い。逆に、指６における単位開口面積は掌５における単位開口面積よりも大きいが、指６における単位個数は掌５における単位個数よりも少ない場合であってもよい。いずれにしても、指６における通気能力が掌５における通気能力よりも高くなる態様が、通気孔４の形状、個数、開口面積、開口総面積を基準に現れていればよい。
【０１２９】
（製造方法）
通気孔４は、被膜３における気泡、粒子の付着などの種々の手段で形成される。このため、例２で説明した指６における単位個数が掌５における単位個数よりも多い手袋１は、被膜３における気泡の数、付着させる粒子の数を、指６において掌５よりも多くすることで、製造される。
【０１３０】
一方、例２で説明した指６における単位開口面積が掌５における単位開口面積よりも大きい手袋１は、個々の気泡の大きさ、付着させる粒子の大きさを、指６において掌５よりも大きくすることで、製造される。
【０１３１】
また、通気孔４を形成する気泡や粒子といった、製造において制御しにくい要素に基づくのではなく、手袋１を製造する原型の工夫によって、指６における単位開口面積が掌５における単位開口面積よりも大きい態様を実現できる。
【０１３２】
手袋１を製造する原型（手型）においては、指の大きさは標準サイズ未満であり、掌の大きさは標準サイズ以上である。例えば、原型の指の大きさはＳサイズであって、掌の大きさはＭサイズが用いられる。もちろん、これ以外の組み合わせでもよい。原型における指の大きさが標準未満であって、掌の大きさが標準以上であることで、製造される手袋１は、指６の大きさが掌５の大きさよりも比較として小さい。
【０１３３】
手袋１が装着されると、指６の大きさが掌５の大きさに比較して、相対的に小さいので、掌５よりも指６の方が装着に合わせて伸長する。通気孔４は、手袋１（基体２）の伸長に合わせて開口面積を増加させる。このため、指６の伸長が掌５の伸長よりも大きい状態では、指６における通気孔４は、掌５における通気孔４よりも大きく開口するようになる。この結果、指６の単位開口面積は、掌５の単位開口面積よりも大きくなりやすくなる。手袋１が装着される場合に、手袋１の内部に手が挿入されることに着目して、手袋１が予めアンバランスに製造されることで、通気孔４の開口面積を調整したものである。
【０１３４】
このように、手袋１を製造する原型が指と掌とでアンバランスであることで、指６における単位開口面積が掌５における単位開口面積よりも大きくなる。
【０１３５】
（例３  掌の通気が指の通気に優先される場合）
手袋１の指６における単位個数および単位開口面積の少なくとも一方は、手袋１の掌５における単位個数および単位開口面積の少なくとも一方より少ないもしくは小さい。すなわち、手袋１の指６における単位個数は、手袋１の掌５における単位個数よりも少ない。あるいは、手袋１の指６における単位開口面積は、手袋１の掌５における単位開口面積より小さい。あるいは、手袋１の指６における単位個数および単位開口面積の双方が、手袋１の掌５における単位個数および単位開口面積よりも少ないもしくは小さい。
【０１３６】
図６は、本発明の実施の形態２における手袋の正面図である。図６は、手袋１において、指６における単位個数が掌５における単位個数よりも少ない態様を示している。
【０１３７】
すなわち、手袋１の掌５における通気孔４は、手袋１の指６における通気孔４よりも、数や開口面積に基づいて、高い通気能力を有している。通気孔４は手袋１の装着時に開口面積を増大させる。この開口面積の増大で通気孔４は、手の表面と外部との通気を実現する。このため、単位個数や単位開口面積が大きいことで、指６における通気孔４よりも、掌５における通気孔４の通気能力が大きいことになる。
【０１３８】
掌５における単位個数が指６における単位個数よりも多いことで、掌５では、指６よりも手の表面と外部との空気の通路の数が多くなる。この通路の数が多いことで、掌５における通気性は、指６における通気性よりも相対的に高くなる。これは、掌５における単位開口面積が指６における単位開口面積よりも大きいことでも同様である。
【０１３９】
人体の手においては、掌においてもっとも発汗が多いと考えられる。掌は大きな表面積を有し、屈曲や把持などの動作を行ったり、把持する物体と熱的に接触したりするからである。また、物体を把持する際には、掌は折り曲げられた状態となるので、発生した汗が掌表面に留まりやすい。更には把持される物体が遮蔽物となって、掌の表面に溜まった汗や湿気が外部に排出されにくい。このような問題に対応するために、例３のように、指６における単位個数や単位開口面積の少なくとも一方が、掌５における単位個数や単位開口面積の少なくとも一方より、少ないか小さいことで、掌の表面に溜まりやすい汗や湿気を、効率的に外部に排出できるようになる。
【０１４０】
ここで、指６における単位個数や単位開口面積が、相対的に掌５よりも少ないもしくは小さいことで、被膜３全体での通気孔４による開口を増大させすぎることがない。結果として、被膜３の耐久性や強度に悪影響が生じない。
【０１４１】
なお、単位個数や単位開口面積は、指６および掌５のそれぞれの任意の領域で比較されればよく、全体として指６の単位個数および単位開口面積の少なくとも一方が、掌５の単位個数および単位開口面積の少なくとも一方より少ないもしくは小さいとの傾向が見られれば良い。すなわち、ある領域で比較した場合に、指６での単位個数および単位開口面積が、掌５での単位個数や単位開口面積よりも多いもしくは大きい場合があることを除外するものではない。このような逆転態様が検出されたとしても、全体として、指６での単位個数および単位開口面積が、掌５での単位個数および単位開口面積より少ないもしくは小さい傾向が認められれば、指６での単位個数および単位開口面積の少なくとも一方が、掌５での単位個数や単位開口面積の少なくとも一方より少ないもしくは小さい態様であると判断できる。すなわち、単位個数や単位開口面積の差は、その傾向が認められればよく、厳密に個数や単位開口面積の差分が立証されることまでをも求めるものではない。
【０１４２】
また、指６における単位個数が掌５における単位個数より少ないが、指６における単位開口面積が掌５における単位開口面積より大きい態様でもよい。逆に、指６における単位開口面積が掌５における単位開口面積より小さいが、指６における単位個数が掌５における単位個数よりも多い態様でもよい。
【０１４３】
いずれにしても、掌５における通気能力が指６における通気能力よりも高くなる態様が、通気孔４の形状、個数、開口面積、開口総面積を基準に現れていればよい。
【０１４４】
また、例１、例２、例３説明する単位開口面積は、手袋１が装着された状態での通気孔４の開口面積を基準とするのを基本とするが、これは、手袋１が装着された状態は、装着者によって変動しうることを許容するものである。また、未装着時の通気孔４の開口面積を基準とすることを除外するものでもない。
【０１４５】
（製造方法）
例３の態様に合致する手袋１の製造方法について説明する。
【０１４６】
通気孔４は、被膜３における気泡、粒子の付着などの種々の手段で形成される。このため、例３で説明した指６における単位個数が掌５における単位個数よりも少ない手袋１は、被膜３における気泡の数、付着させる粒子の数を、指６において掌５よりも少なくすることで、製造される。
【０１４７】
一方、例３で説明した指６における単位開口面積が掌５における単位開口面積よりも小さい手袋１は、個々の気泡の大きさ、付着させる粒子の大きさを、指６において掌５よりも小さくすることで、製造される。
【０１４８】
また、通気孔４を形成する気泡や粒子といった、製造において制御しにくい要素に基づくのではなく、手袋１を製造する原型の工夫によって、指６における単位開口面積が掌５における単位開口面積よりも小さい態様を実現できる。
【０１４９】
手袋１を製造する原型（手型）においては、指の大きさは標準サイズ以上であり、掌の大きさは標準サイズ未満である。例えば、原型の指の大きさはＭサイズであって、掌の大きさはＳサイズが用いられる。もちろん、これ以外の組み合わせでもよい。原型における指の大きさが標準以上であって、掌の大きさが標準未満であることで、製造される手袋１は、指６の大きさが掌５の大きさよりも比較として大きい。
【０１５０】
一例として、Ｌサイズを基準とする原型において、以下のようにする。
標準  ：  中指の周囲  ＝  ６８ｍｍ    掌の周囲  ＝  ２２０ｍｍ
実施例  ：  中指の周囲  ＝  ６８ｍｍ    掌の周囲  ＝  １８０ｍｍ
【０１５１】
この実施例からわかる通り、指の大きさ比較は、６８ｍｍ／６８ｍｍ＝１．０であるが、掌の大きさ比較は、１８０ｍｍ／２２０ｍｍ＝０．８である。このように、指の大きさは標準以上であって、掌の大きさは、標準未満である。ここで、標準は、発明者が多数の測定例から算出した平均値に基づいて得られるサイズである。
【０１５２】
手袋１が装着されると、掌５の大きさが指６の大きさに比較して相対的に小さいので、指６よりも掌５が装着に合わせて伸長する。通気孔４は、手袋１（基体２）の伸長に合わせて開口面積を増加させる。このため、掌５の伸長が指６の伸長よりも大きい状態では、掌５における通気孔４は、指６における通気孔４よりも大きく開口するようになる。この結果、掌５の単位開口面積は、指６の単位開口面積よりも大きくなりやすくなる。手袋１が装着される場合に、手袋１の内部に手が挿入されることに着目して、手袋１が予めアンバランスに製造されることで、通気孔４の開口面積を調整したものである。
【０１５３】
このように、手袋１を製造する原型が指と掌とでアンバランスであることで、掌５における単位開口面積が指６における単位開口面積よりも大きくなる。
【０１５４】
通気孔４は、その個数や開口面積が大きいほど、当然ながら通気性が高まる。しかし、通気孔４は、被膜３に形成されるのであり、通気孔４は、被膜３に貫通している裂け目、割れ目である。このため、通気孔４の個数や開口面積を余りに増大させると、被膜３が破れたり損傷したりして、手袋１そのものも使えなくなってしまう。
【０１５５】
実施の形態２で説明したように、通気孔４の単位個数や単位開口面積を、手袋１の部位に応じて不均一にすることで、被膜３の損傷の防止と部位によって必要となる通気性の確保との両立ができるようになる。人体の手は、その部位によって通気性の軽重を要するので、実施の形態２で説明したように、被膜３の損傷防止との両立を考慮した通気性の不均一を生じさせることは好適である。
【０１５６】
（実施の形態３）
【０１５７】
次に、実施の形態３について説明する。実施の形態３では、通気孔４をより容易に開口させる工夫について説明する。
【０１５８】
図７は、本発明の実施の形態３における手袋の側面図である。図７（a）は、未装着での手袋１の側面を示しており、図７（ｂ）は、装着後の手袋１の側面を示している。
【０１５９】
図７（ａ）に示されるように、手袋１の指６は、手袋１が未装着時においては、掌５側に屈曲している。このように指６が手袋１の未装着時において、掌５側に屈曲するように手袋１が製造されることで、被膜３も掌５側に屈曲する。すなわち、被膜３は、掌５側に向かって収縮した状態となる。被膜３が掌５側に収縮した状態であると、被膜３に形成されている通気孔４は、開口面積が小さい状態である。
【０１６０】
これに対して図７（ｂ）に示されるように、手袋１が装着されると、指６はまっすぐに伸びるようになり、指６は、掌５側に屈曲していた状態から甲８側に対して平行に近い状態となる。この結果、掌５側に形成された被膜３は、反り返るように伸長する。この伸長によって、掌５側の被膜３に形成されている通気孔４は、十分に開口できるようになる。通気孔４、特に掌５側の通気孔４が十分に開口すると、汗や湿気の溜まりやすい掌表面の排気、通気が向上する。一般的には、手の甲より掌の方が汗をかきやすいし、汗が溜まりやすいと考えられるからである。
【０１６１】
図７に示されるように、製造された段階で、指６が掌５側に屈曲していることで、手袋１が装着されると、掌５や指６の掌５側は、当然ながら伸長しやすい。通気孔４を、未装着時から大きく開口させることは、防水性や耐久性の観点から好ましくないが、通気孔４の形状の工夫によって、装着時の通気孔４の開口面積を大きくすることは難しい。これに対して、手袋１が装着されることで掌５における被膜３が伸長しやすくなると、被膜３や通気孔４に余分なストレスを与えずに（当然に使用者に対して、装着での工夫やストレスを与えることもない）通気孔４が十分に開口できるようになる。
【０１６２】
これに対して、製造された段階で、指６が掌５側に屈曲していない場合には（例えば、図７（ｂ）の状態を想像すればよい）、使用者が手袋１を装着しても掌５側の被膜３は伸長しにくい。結果として、掌５側の通気孔４も大きくは開口しない。結果として、汗や湿気の溜まりやすい掌の通気が不十分となる。
【０１６３】
図７に示されるように、指６が掌５側に屈曲しているだけでなく、掌５が内側に丸まっている状態でもよいし、指６のそれぞれが異なる屈曲状態を有していてもよい。手袋１が装着されることで、掌５や指６における被膜３が自然に伸長し、結果として通気孔４が広がるようになるからである。もちろん、手の甲８側の通気を高めたい場合には、図７とは逆に、指６が手の甲８側に屈曲するように、手袋１が製造されれば良い。
【０１６４】
以上のように、実施の形態３における手袋１は、製造される段階で、予め屈曲した態様とされることで、装着によって通気孔４が広がるようになる。この結果、通気性、排気性の高い手袋１が実現できる。
【０１６５】
（実施の形態４）
【０１６６】
次に実施の形態４について説明する。
【０１６７】
実施の形態４では、通気孔４の製造方法について説明する。
【０１６８】
通気孔４は、被膜３に形成される。通気孔４のように「孔」として要素を特定しているが、円形や楕円形などの孔だけでなく、割れ目や裂け目といった、不定形の貫通部を幅広く含む。このため、通気孔４の開口形状は、円形、楕円形、方形、長方形、菱形、棒状形状、直線形状、破線形状などの様々な態様を含む。
【０１６９】
通気孔４は、被膜３に形成されるので、被膜３製造の段階における種々の手法で形成される。
【０１７０】
被膜３は、液状素材に基体２が浸漬されることで形成されるので、液状素材が親戚される際あるいはその前後の処理によって、通気孔４が形成される。
【０１７１】
（発泡による製造）
【０１７２】
被膜３が発泡性の液状素材であって、浸漬されて基体２に浸み込まされた液状素材が乾燥した後で、気泡が破裂することによって、通気孔４が形成される。図８は、本発明の実施の形態４における通気孔４の製造工程を示す説明図である。図８は、基体２と被膜３とを側面から見た状態を示している。
【０１７３】
被膜３は、液状素材として基体２の表面に浸漬される。この液状素材は、発泡性を有しており、複数の気泡４Ａを有している。気泡４Ａは、被膜３が液状である間は保持されているが、浸漬後に乾燥されるに従って、破裂する。図８における下半分に示される状態は、気泡４Ａが破裂した状態を示している。気泡４Ａが破裂した跡が、外部と基体２とを接続する通気孔４となる。もちろん、気泡４Ａの破裂状態によっては、基体２にまで到達しないこともありえるが、その場合でも、使用によって通気孔４が基体２に到達するように裂けることもある。
【０１７４】
予め発泡させた液状素材に、基体２が浸漬されることで、気泡４Ａを含む被膜３が形成され、この気泡４Ａの破裂によって、通気孔４が形成される。このような気泡４Ａを利用することで、通気孔４が容易に形成される。
液状素材に気泡を含ませるには、既存の機械的方法や化学的方法が用いられる。機械的方法では、液状素材を攪拌しながら空気を液状素材の中に送り込んで、所定の体積に到達したら空気の吹き込みを停止して泡が安定するまで攪拌する。
【０１７５】
被膜３に含まれる気泡の量は、被膜３の単位体積に対して１５ｖｏｌ％未満が好ましい。更に好ましくは、５〜１０ｖｏｌ％である。気泡量が１０ｖｏｌ％を越える場合には、通気性はよくなるが、耐摩耗性が低下する。逆に、気泡量が５ｖｏｌ％未満の場合には、通気性は悪くなるが、耐摩耗性は向上する。従って、気泡の量は、５〜１０ｖｏｌ％であることがこのましい。
【０１７６】
気泡の量は、次の手順で測定される。まず、重量が既知のメスシリンダーに５００ｍｌの液状素材が投入されて、この液状素材の重量が測定される。液状素材の比重は、概ね値「１」なので、「気泡の容量  ＝  （５００−液状素材の重量）／５００」との算出式で求められる。
【０１７７】
（粒子による製造）
【０１７８】
また、被膜３の元となる液状素材が粒子を含んでおり、この粒子を含んだ液状素材が、被膜３として基体２に浸漬されることで粒子を含んだ液状素材が基体２に浸み込む。浸漬した液状素材が乾燥して被膜３となる過程で、この粒子が欠落したり被膜３に傷を与えたりすることで、通気孔４が形成される。粒子の欠落や傷によって、被膜３が貫通されて、基体２と外部とが接続されるからである。
【０１７９】
あるいは、液状素材が基体２に浸漬された後で、表面に粒子が付着されても良い。付着された粒子が欠落したり被膜３に傷を与えたりすることで、通気孔４が形成されることは同様である。また、液状素材が乾燥される過程で、粒子を強制的に取り除いたり被膜３上で移動させたりすることで、強制的に被膜３に通気孔４を形成することも好適である。
【０１８０】
以上のように、通気孔４は、被膜３を形成する液状素材に浸漬される際や浸漬された後での処理によって形成される。
【０１８１】
もちろん、通気孔４の形成においては、上述の工程は一例であり、針状の器具によって通気孔４が形成されても良い。
【０１８２】
（実施の形態５）
【０１８３】
次に、実施の形態５について説明する。実施の形態５では、実際の手袋の製造工程について説明する。
【０１８４】
（基体の製造）
【０１８５】
まず、基体２が製造される。
【０１８６】
綿などの天然繊維、ナイロン、ポリエステルなどの合成繊維が、編布や織布されることによって、基体２が製造される。このとき、天然繊維や合成繊維などの素材は、ウーリー加工されていることが好適である。また、実施の形態３で説明したように、原型において、指の大きさが標準サイズ未満であって掌の大きさが標準サイズ以上であってもよい。あるいは、指の大きさが標準サイズ以上であって掌の大きさが標準サイズ未満であっても良い。それぞれの場合において、指６の通気孔４と掌５の通気孔４との開口面積の不均一を生じさせても良い。
【０１８７】
また、実施の形態１で説明したように、竹繊維を用いることも好適である。
【０１８８】
（被膜となる液状素材の製造）
被膜３は、基体２に樹脂などの液状素材が浸漬されることで、形成される。
【０１８９】
液状素材は、ゴムラテックスや樹脂エマルジョンを用いることが好適である。ゴムラテックスは、天然ゴムラテックス、ＮＢＲ、ＳＢＲなどの合成ゴムラテックスを含む。樹脂エマルジョンは、ポリ塩化ビニル樹脂、アクリル樹脂、ウレタン樹脂などを含む。
【０１９０】
液状素材は、これらのゴムラテックスや樹脂エマルジョンに、必要に応じて、安定剤、架橋剤、架橋分散体、老化防止剤、増粘剤、可塑剤、消泡剤などが添加されて製造される。このようにして製造された液状素材に、基体２が浸漬されて、基体２の表面に被膜３が形成される。
【０１９１】
この被膜３は、通気孔４を備える必要があり、通気孔４は、被膜３における裂け目、割れ目、傷などによって形成される。具体的には、基体２の表面に形成された被膜３は、基体２が装着（人体の手でもよいし、製造に用いられる原型（手型）でもよい）される圧力によって、裂け目、割れ目、傷が生じて、これらが通気孔４になる。このため、被膜３が裂け易かったり、破れやすかったりする状態であることが好ましい。
【０１９２】
被膜３がこのように裂け易かったり破れやすかったりするために、液状素材そのものの製造工程や被膜３の製造工程において、次のような工夫が施される。
【０１９３】
（例１）
液状素材は、ゴムラテックスなどの主原料に、安定剤などの添加物が配合されて製造される。この液状素材は、所定時間に渡って、熟成される。この熟成時間を通常より長くすることで、液状素材は、過度に熟成される。過度に熟成された液状素材は、裂け易かったり破けやすかったりする被膜３を形成できる。
【０１９４】
（例２）
液状素材に充填剤が多く配合されることで、ゴムの純度が低下されることも好適である。ゴムの純度が下がることで、液状素材は、裂け易かったり破けやすかったりする被膜３を形成できる。
【０１９５】
（例３）
実施の形態４で説明したように、液状素材を予め発泡させておくことも好適である。発泡は、液状素材の攪拌（特に、空気を送り込みながらの攪拌）によって形成されれば良い。発泡によって得られる気泡の連通や破裂によって、通気孔４が形成されやすくなる。また、当然ながら発泡による気泡を含んだ液状素材は、裂け易かったり破けやすかったりする被膜３を形成できる。
【０１９６】
（例４）
液状素材に粒子や粉体を配合させることも好適である。粒子や粉体が配合されることで、被膜３にも粒子や粉体が付着した状態となる。この粒子や粉体の周囲には、応力が集中して被膜３が破けやすくなるようになる。すなわち、このような液状素材は、裂け易かったり破けやすかったりする被膜３を形成できる。
【０１９７】
（例５）
被膜３の厚みを薄くすることも好適である。厚みが薄ければ、当然に、被膜３は裂け易かったり破けやすくなったりするからである。被膜３の厚みは、例えば、液状素材に基体２が浸漬される時間、液状素材の粘度などによって調整される。
【０１９８】
（例６）
液状素材に基体２が浸漬された後で、被膜３がＳＰ値の近い溶剤に浸漬される。この結果、被膜３が膨潤される。その後、被膜３が乾燥すると、被膜３は収縮して凹凸が生じる。すなわち、非常に微細な波状形状が、被膜３の表面に生じることになる。このような凹凸によって、被膜３は、裂け易くなったり破けやすくなったりする。
【０１９９】
以上のように、例１〜例６のいずれかの方法によって形成される被膜３は裂け易かったり破けやすかったりするようになり、通気孔４が形成されやすくなる。
【０２００】
また、指６、根元６１、掌５など、手袋１の部位に応じて例１〜例６のいずれかによって異なる液状素材が浸漬されても良い。例えば、指６の通気孔４の数や開口総面積を増やしたい場合には、指６に浸漬させる液状素材は、例１から例６のいずれかで製造されており、掌５に浸漬させる液状素材は、例１から例６のいずれの処理がなされていない。逆に、指６に比較して掌５の通気孔４の数や開口総面積を増やしたい場合には、掌５に浸漬させる液状素材は、例１から例６のいずれかで製造されており、指６に浸漬させる液状素材は、例１から例６のいずれの処理もなされてない。
【０２０１】
また、液状素材は、熟成工程を経ることも好適である。樹脂に種々の物質が配合された液状素材は、３０℃の状態で、任意の時間に渡って熟成される。このような熟成工程を経た液状樹脂は、形成する被膜３に影響を及ぼす。
【０２０２】
（被膜３の形成）
【０２０３】
基体２は、液状素材に浸漬される。
【０２０４】
まず、原型に基体２が装着されて、温度調整が行われる。その後、基体２が凝固剤に浸漬される。更に、基体２が液状素材に浸漬される。浸漬された後で、基体２が引き上げられて乾燥等を経て、被膜３が形成される。
【０２０５】
液状素材の凝固では、塩凝固法、感熱凝固法、ストレート法などが用いられる。塩凝固法は、液状素材を塩によってゲル化させる方法である。感熱凝固法は、液状素材に予め感熱剤を添加しておき、温度によってゲル化させる方法である。ストレート法は、凝固剤や感熱剤を使用せず、乾燥によってゲル化させる方法である。塩凝固法に使用される凝固剤は、硝酸カルシウム、塩化カルシウムなどを用いる。
【０２０６】
乾燥は、熱風が用いられることもあるし、室温にて放置されることもある。
【０２０７】
（通気孔４の形成）
液状樹脂が乾燥して被膜３が形成された後で、手袋１が装着されるなどによって、被膜３に通気孔４が形成される。通気孔４は、被膜３の割れ目、裂け目、傷などによって形成されるので、手袋１の出荷時に形成される通気孔４と、手袋１の使用によって形成される通気孔４とが、存在する。このため、通気孔４の数や開口面積は変化することがありうる。例１〜例６で説明したように、被膜３が裂け易かったり破けやすかったりするように製造された液状樹脂が被膜３（被膜３の一部であったり全部であったりする）を形成していることで、手袋１の装着によって、容易に通気孔４が形成される。
【０２０８】
以上のように、手袋１の部位による通気孔４の数や開口総面積（単位個数や単位開口面積）は、被膜３の部位による強弱のばらつきによって、生じる。
【０２０９】
次に、通気孔４の単位個数や単位開口面積などに変化をもたらすための、各種実施例や比較例について説明する。
【０２１０】
実施例においては、容易に通気孔４が形成されたり、手袋１の部位によって、通気孔４の個数や開口総面積が異なったりする手袋１を説明する。比較例においては、実施例と異なり、通気孔４の形成が困難であったり通気孔４の不均一が実現できかったりする場合について説明する。
【０２１１】
（実施例１）
実施例１の手袋１は、所定時間の熟成工程を経た液状素材を用いて、被膜３を形成する。手袋１を製造する原型は、指の周囲の比（使用される原型と標準サイズとの比）を１．０、掌の周囲の比（使用される原型と標準サイズとの比）を０．８とする。基体２は、ウーリーポリエステルで製造される。基体２を６０℃に型温調整し、凝固剤(塩化カルシウム１％/メタノール溶液)に浸漬して、３０℃で２４時間熟成させた液状素材に浸漬する。ついで、１１０℃で３０分乾燥加硫を行なうことにより、手袋を作成した。
【０２１２】
この実施例１では、掌５における通気孔４の単位個数や単位開口面積が、指６における通気孔４の単位個数や単位開口面積よりも多いもしくは大きい。手袋１を製造する原型の不均一および液状素材の熟成によって、単位個数や単位開口面積の不均一が実現される。
【０２１３】
（実施例２）
実施例２の手袋１は、次の工程で製造される。まず、原型にかぶせられた基体２（ウーリーポリエステル  １００％）を凝固剤（塩化カルシウム  １％／メタノール溶液）に浸漬し、ついで、熟成された液状素材に浸漬する。その後、１分間乾燥させて溶剤(練ゴム３％のトルエン溶液)に浸漬して、被膜３となる浸漬された液状素材が膨潤されて、１１０℃で３０分間乾燥される。
【０２１４】
このようにして製造された実施例２の手袋１は、被膜３に凹凸が生じることになるので、手袋１が装着されるだけで容易に通気孔４が形成されるようになる。
【０２１５】
また、熟成時間の異なる複数の種類の液状素材が予め製造され、手袋１の部位によって、熟成時間の異なる液状素材が、浸漬されることも好適である。この結果、手袋１の部位によって異なる凹凸が形成されて、手袋１の部位によって通気孔４の単位個数や単位開口面積が不均一にされるからである。
【０２１６】
（実施例３）
実施例３の手袋１は、１０ｖｏｌ％の気泡を含ませた液状素材に基体２が浸漬されて製造される。
【０２１７】
このような実施例３によって製造された手袋１は、気泡の破裂によって、容易に通気孔４を形成できる。また、気泡の多い液状素材と気泡の少ない液状素材との２種類の液状素材が予め製造され、手袋１の部位によって気泡の量の異なる液状素材が浸漬されることも好適である。この場合には、部位によって通気孔４の単位個数や単位開口面積を不均一にすることができるからである。
【０２１８】
（実施例４）
実施例４の手袋１は、５％の天然ゴム粉を含ませた液状素材に基体２が浸漬される工程を経て製造される。
【０２１９】
実施例４によって製造された手袋１は、天然ゴム粉の応力によって、容易に通気孔４を形成できる。また、天然ゴム粉の配合率の高い液状素材と天然ゴム粉の配合率の低い液状素材との複数の種類の液状素材が予め製造され、手袋１の部位によって配合率の異なる液状素材が浸漬されることも好適である。この場合には、部位によって通気孔４の単位個数や単位開口面積を不均一にすることができるからである。
【０２２０】
以上のように、実施例１〜４の手袋１は、通気孔４を容易に形成できたり、手袋１の部位によって単位個数や単位開口面積を不均一にしたりできる。
【０２２１】
また、この実施例１〜４に対する比較例を説明する。比較例１〜４は、通気孔４が形成されないか、形成されても不十分であるか、不均一な通気孔の形成が困難であるか、のいずれかの結果を示す。
【０２２２】
（比較例１）
比較例１は、液状素材の熟成工程を省略した上で製造される。
【０２２３】
液状素材の熟成工程が省略された比較例１で製造された手袋１は、通気孔４を形成できない。
【０２２４】
（比較例２）
比較例２は、手袋１を製造する原型において、指の周囲の比（使用される原型と標準サイズとの比）を０．８、掌の周囲の比（使用される原型と標準サイズとの比）を０．８とした手袋１を製造する。
【０２２５】
比較例２で製造される手袋１では、指６における通気孔４の単位個数や単位開口面積は、掌５における通気孔４の単位個数や単位開口面積と同様となる。基体２における、部位による大きさの不均一が存在しないことで、単位個数や単位開口面積における不均一が生じないからである。
【０２２６】
（比較例３）
比較例３の手袋１では、基体２が伸縮性のない繊維（例えば、綿）で製造される。これ以外は、実施例１と同じ製造工程で製造される。
【０２２７】
基体２が伸縮性を有さないことで、比較例３の手袋１が装着されても、被膜３が伸長せず通気孔４が形成されない。
【０２２８】
（比較例４）
比較例４の手袋１は、手袋１を製造する原型において、指の周囲の比（使用される原型と標準サイズとの比）を１．０、掌の周囲の比（使用される原型と標準サイズとの比）を１．０とした手袋１を製造する。
【０２２９】
比較例４の手袋１は、装着されても指６および掌５が伸長することがないので、通気孔４が形成されない。
【０２３０】
以上のように、比較例１〜４は、通気孔４が形成されないか、形成されても不十分であるか、不均一な形成ができない、といった問題を有する。
【０２３１】
以上、実施の形態１〜５で説明された手袋は、本発明の趣旨を説明する一例であり、本発明の趣旨を逸脱しない範囲での変形や改造を含む。
【符号の説明】
【０２３２】
１    手袋
２    基体
３    被膜
４    通気孔
５    掌
６    指
６１  根元
７    手首
８    甲
【図１】
0005643050.tif 000002
【図２】
0005643050.tif 000003
【図３】
0005643050.tif 000004
【図４】
0005643050.tif 000005
【図５】
0005643050.tif 000006
【図６】
0005643050.tif 000007
【図７】
0005643050.tif 000008
【図８】
0005643050.tif 000009